Podtech/llm-jp-corpus-v4-ja_patent huggingface dataset:
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
機械によって実行される場合に、前記機械に、
ナンスを生成するステップと、
前記ナンスをホストに関連するストアに送信するステップと、
前記ストアからセッションキーを受信するステップであって、前記セッションキーが前記ホストに関連する公開キーを使用して暗号化される、ステップと、
前記ストアが前記ホストから取り外されて第２のホストに挿入された場合には、前記ホストが前記コンテンツを再生するための残余権を保持しないようにライセンスが前記ストアとともに転送されるように、前記ライセンスと前記ストアに含まれるコンテンツとを関連づけるステップと、
を含む認証手順を実行させる機械可読命令を含む、機械可読記憶媒体。
【請求項２】
前記認証手順が、前記ナンスを前記ストアに送信する前に前記ナンスを暗号化するステップをさらに含む、請求項１に記載の機械可読記憶媒体。
【請求項３】
前記ナンスが前記ストアに関連する公開キーを使用して暗号化される、請求項２に記載の機械可読記憶媒体。
【請求項４】
前記認証手順が、前記ストアからストア証明書を受信するステップをさらに含み、前記ストア証明書がストア公開キーを含む、請求項１に記載の機械可読記憶媒体。
【請求項５】
前記認証手順が、少なくとも１つの証明書失効リストと突き合わせて前記ストア証明書の有効性をチェックするステップをさらに含む、請求項４に記載の機械可読記憶媒体。
【請求項６】
前記認証手順が、前記ストア公開キーを使用して前記ナンスを暗号化するステップをさらに含む、請求項４に記載の機械可読記憶媒体。
【請求項７】
前記認証手順が、前記ストアにホスト証明書を送信するステップをさらに含む、請求項６に記載の機械可読記憶媒体。
【請求項８】
前記ライセンスとストアに含まれるコンテンツとを関連づけるステップが、前記認証手順を完了した後に、前記ライセンスを前記ストアからの前記セッションキーとバインドするステップを含み、前記ライセンスが、ホストが前記ストア上に含まれるコンテンツにアクセスできるようにするライセンスである、請求項１に記載の機械可読記憶媒体。
【請求項９】
請求項１に記載の機械可読記憶媒体を含む、モバイルメディアプレーヤーデバイス。
【請求項１０】
機械によって実行される場合に、前記機械に、
ストアと関連するホストから暗号化されたナンスを受信するステップと、
前記ホストにセッションキーを送信するステップと、
１つまたは複数のライセンスが前記ストアとともに転送されるように、前記ストアに含まれるコンテンツを前記１つまたは複数のライセンスとバインドするステップと、
を含む作業を実行させる機械可読命令を含む、機械可読記憶媒体。
【請求項１１】
前記作業が、ホスト証明書を受信するステップをさらに含み、前記ホスト証明書が少なくとも前記ホストに関連する公開キーを含む、請求項１０に記載の機械可読記憶媒体。
【請求項１２】
前記作業が、少なくとも１つの証明書失効リストと突き合わせて前記ホスト証明書をチェックするステップをさらに含む、請求項１１に記載の機械可読記憶媒体。
【請求項１３】
前記作業が、ストア証明書に対するクエリーを受信するステップをさらに含む、請求項１０に記載の機械可読記憶媒体。
【請求項１４】
前記作業が、ストア証明書を送信するステップをさらに含み、前記ストア証明書が少なくとも前記ストアに関連する公開キーを含む、請求項１０に記載の機械可読記憶媒体。
【請求項１５】
前記ナンスが前記ストアに関連する公開キーを使用して暗号化される、請求項１０に記載の機械可読記憶媒体。
【請求項１６】
前記作業が、前記ホストに関連する公開キーを使用して前記ランダムセッションキーを暗号化するステップをさらに含む、請求項１０に記載の機械可読記憶媒体。
【請求項１７】
前記作業が、前記認証手順を完了した後に前記ホストに前記ライセンスを与えるステップをさらに含み、前記ライセンスは前記ストア上に含まれるコンテンツに前記ホストがアクセスできるようにするライセンスである、請求項１０に記載の機械可読記憶媒体。
【請求項１８】
ポータブルメモリーデバイスに含まれる、請求項１０に記載の機械可読記憶媒体。
【請求項１９】
前記ポータブルメモリーデバイスがフラッシュメモリー、ＳＤカード、またはＳＩＭカードを含む、請求項１８に記載の機械可読記憶媒体。
【請求項２０】
請求項１８に記載のポータブルメモリーデバイスが挿入される、モバイルメディアプレーヤーデバイス。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
信号を受信するための無線受信機であって、
第１セットの係数を用いて初期化した定包絡アルゴリズムを前記受信信号に対して実施するように構成され、且つ等化済み信号を生成するための等化器と、
前記等化器に結合され、前記等化済み信号を復調するための復調器と、
前記復調器に結合された低域通過フィルタであって、前記復調済み信号を低域通過フィルタ処理してスプリアス信号を検出し、且つオフセット信号を生成するための、前記低域通過フィルタと、
前記低域通過フィルタに結合された係数発生器であって、前記オフセット信号を所定のしきい値と比較し、前記オフセット信号が前記所定のしきい値に関する所定の条件を満足する場合に、前記オフセット信号に基づき前記スプリアス信号の周波数を決定して、前記定包絡アルゴリズムを再初期化するための第２セットの係数を生成するように構成されている、前記係数発生器と
を備える、無線受信機。
【請求項２】
信号を受信するための無線受信機であって、
第１セットの係数を用いて初期化された定包絡アルゴリズムを前記受信信号に対して実施するように構成され、且つ等化済み信号を生成するための等化器と、
前記等化器に結合され、前記等化済み信号を復調するための復調器と、
前記復調器に結合された低域通過フィルタであって、前記復調済み信号を低域通過フィルタ処理してスプリアス信号を検出し、且つオフセット信号を生成するための、前記低域通過フィルタと、
前記低域通過フィルタに結合され、且つ前記オフセット信号を所定のしきい値と比較し、前記オフセット信号が前記所定のしきい値に関連する所定の条件を満足すれば、前記定包絡アルゴリズムを再初期化するための第２セットの係数を生成するように構成されている、係数発生器と
を備え、前記定包絡アルゴリズム用の前記第２セットの係数は、前記スプリアス信号の周波数及び所定のひな形フィルタに関連する１セットの係数に基づき生成される、無線受信機。
【請求項３】
信号を受信するための無線受信機における方法であって、
第１セットの係数を用いて初期化された定包絡アルゴリズムを前記受信信号に対して実施し、等化済み信号を生成する段階と、
前記等化済み信号を復調する段階と、
前記復調済み信号をフィルタ処理してスプリアス信号を検出し、且つオフセット信号を生成する段階と、
前記オフセット信号を所定のしきい値と比較し、前記オフセット信号が前記所定のしきい値に関連する所定の条件を満足すれば、前記定包絡アルゴリズムを再初期化するための第２セットの係数を生成する段階と
を備え、前記定包絡アルゴリズム用の前記第２セットの係数は、前記スプリアス信号の周波数及び所定のひな形フィルタに関連する一セットの係数に基づき生成される、方法。
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
ベースと、側壁と、この側壁の上縁から延びる環状のリムと、を備えた飲料容器を閉鎖する飲料容器閉鎖部材であって、
飲料容器リム係合手段を構成する周縁部を備えたほぼ円形状の円板と、
この円板に形成されて下方に所定距離延びるほぼ円形状の溝と、を有し、
前記溝は、前記円板の表面よりも上方に前記溝から延びる飲料容器支持体を取り囲み、上記溝及び上記飲料容器支持体は、前記ベースと飲料容器の側壁の下縁に係合するように寸法決めされ、一方の飲料容器が他方の飲料容器の頭部に、これらの飲料容器の中間にある上記閉鎖部材で積み重なるように係合することを特徴とする飲料容器閉鎖部材。
【請求項２】
前記飲料容器支持体は、前記飲料容器の前記ベースの内径より小さいか、これにほぼ等しい最大直径を有している請求項１記載の飲料容器閉鎖部材。
【請求項３】
前記飲料容器支持体は、前記溝に隣接する最大直径から、前記円板の表面より上方の最小直径まで、最大直径がテーパしている請求項１記載の飲料容器閉鎖部材。
【請求項４】
前記飲料容器支持体の端部の前記底またはこれに隣接する前記溝での前記最大直径は、前記円板の表面より上方の前記容器支持体の直径より大きく、かつ前記容器支持体の最大直径は、前記飲料容器の側壁の下縁を横切る直径より大きいか、これに実質的に等しい請求項３記載の飲料容器閉鎖部材。
【請求項５】
前記飲料容器支持体は、実質的に円筒状でありかつ前記リム係合手段の実質的に中間に中心を有する請求項１記載の飲料容器閉鎖部材。
【請求項６】
前記飲料容器支持体は、円筒状でありかつ前記リム係合手段に対して前記円板に中心をもたない請求項１記載の飲料容器閉鎖部材。
【請求項７】
前記飲料容器支持体は、前記溝から離間した最上面に、互いに並んで配置された複数のくさびまたはセグメントを有している請求項１記載の飲料容器閉鎖部材。
【請求項８】
前記飲料容器支持体は環状体またはリングで台地型である請求項１記載の飲料容器閉鎖部材。
【請求項９】
前記飲料容器支持体は、前記溝よりも上方の最大高さを、前記円板よりも上方の前記飲料容器支持体の最上点まで延ばし、前記最大高さは、飲料容器の側壁の下縁と、この下縁よりも所定高さ上方を横切って配置された前記ベースとの距離より小さいか、これに等しい請求項１記載の飲料容器閉鎖部材。
【請求項１０】
プラスチックで形成されまたはモールド成形されている請求項１記載の飲料容器閉鎖部材。
【請求項１１】
前記プラスチックは、ポリ塩化ビニル、ポリスチレン、ポリエチレン、ポリプロピレン、ポリアミド、アクリル樹脂、シリコーン、セルロイドおよび合成ゴムからなる群から選択される請求項１０記載の飲料容器閉鎖部材。
【請求項１２】
前記円板またはこれに隣接して配置された分配孔を有している請求項１記載の飲料容器閉鎖部材。
【手続補正書】
【提出日】平成23年4月28日(2011.4.28)
【手続補正１】
【補正対象書類名】明細書
【補正対象項目名】０１５２
【補正方法】変更
【補正の内容】
【０１５２】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正２】
【補正対象書類名】特許請求の範囲
【補正対象項目名】請求項４
【補正方法】変更
【補正の内容】
【請求項４】
Ｈｅｔが、１〜４個のＮ、Ｏおよび／またはＳ原子を有し、（Ａｌｋ）ｑＢまたはＡｒ２により単置換されている、単環式または二環式の芳香族複素環を示す、
請求項１〜３のいずれかに記載の化合物、または、これらの薬学的に使用可能な誘導体、溶媒和物、塩、互変異性体もしくは立体異性体、またはすべての比率でのこれらの混合物。
【手続補正３】
【補正対象書類名】特許請求の範囲
【補正対象項目名】請求項１４
【補正方法】変更
【補正の内容】
【請求項１４】
Ｒ１が、Ａｒ１またはＨｅｔを示し、
Ｒ２が、Ａｒ２またはＨｅｔ２を示し、
Ｒ３が、ＨまたはＡを示し、
Ａが、１〜１０個のＣ原子を有する非分枝状または分枝状アルキル（ここで、１〜７個のＨ原子は、Ｆおよび／またはＣｌにより置き換えられていてもよく、
かつ／またはここで、１つまたは２つのＣＨ２基は、Ｏにより置き換えられていてもよい）を示し、
Ａｌｋが、１〜６個のＣ原子を有する非分枝状または分枝状アルキレン（ここで、１〜７個のＨ原子は、Ｆおよび／またはＣｌにより置き換えられていてもよく、
かつ／またはここで、１つまたは２つのＣＨ２基は、Ｏにより置き換えられていてもよい）を示し、
Ａｒ１が、（Ａｌｋ）ｑＮＲ２ＣＯ−Ｂ、（Ａｌｋ）ｑＮＲ２ＳＯｍ−Ｂ、（Ａｌｋ）ｑＣＯＮＢＢ’、ＡｌｋＳＯｍＮＢＢ’、（Ａｌｋ）ｑＯ−Ｂ、（Ａｌｋ）ｑＮＢＢ’または（Ａｌｋ）ｑＢにより単置換されているフェニルを示し、
Ａｒ２が、Ｈｅｔ１、ＮＨＣＯＯＡまたはＮＨＣＯＯ［Ｃ（Ｒ３）２］ｐＨｅｔ１により単置換されているフェニルを示し、
Ｈｅｔが、１〜４個のＮ、Ｏおよび／またはＳ原子を有し、（Ａｌｋ）ｑＢまたはＡｒ２により単置換されている、単環式または二環式の芳香族複素環を示し、
Ｈｅｔ２が、１〜４個のＮ、Ｏおよび／またはＳ原子を有する非置換の単環式または二環式の芳香族複素環を示し、
Ｈｅｔ１が、ピペリジニル、ピペラジニル、オキサジアゾリル、チアゾリル、フリル、チエニル、ピロリジニル、ジヒドロオキサジアゾリル、ピリジニル、１−アザビシクロ［２．２．２］オクタニル、トリアゾリル、モルホリニル、イミダゾリル、ジヒドロイミダゾリル、テトラゾリル、２Ｈ−ピリジニル、ピリミジニル、ピリダジニル、ベンズイミダゾリル、ベンゾトリアゾリル、インドリル、ベンゾ−１，３−ジオキソリル、インダゾリルまたはベンゾ−２，１，３−チアジアゾリルを示し、これらの各々が、非置換であるか、またはＡ、ＯＡ、ＯＨ、Ｈａｌ、Ｂ、（ＣＨ２）ｎＯＢ、ＣＯＯＡおよび／または＝Ｏ（カルボニル酸素）により単置換、二置換、三置換または四置換されており、
Ｂ、Ｂ’が、各々、互いに独立して、（Ａｌｋ）ｑＨｅｔ１、（Ａｌｋ）ｑＮ（Ｒ３）２、（Ａｌｋ）ｑＯＲ３、（Ａｌｋ）ｑＳＯ２Ａ、（Ａｌｋ）ｑＣＨ（ＯＲ３）ＣＨ２ＯＲ３、Ｒ３、（Ａｌｋ）ｑＣＯ−ＯＲ３または（Ａｌｋ）ｑＣＯ−Ｎ（Ｒ３）２を示し、
ここで、ＮＨ基はまた、ＮＣＯＯＡまたはＮ−Ｃ（＝Ｏ）Ｒ３により置き換えられていてもよく、
Ｈａｌが、Ｆ、Ｃｌ、ＢｒまたはＩを示し、
ｍが、０、１または２を示し、
ｎが、１、２、３または４を示し、
ｐが、０、１、２、３または４を示す、
請求項１〜１３のいずれかに記載の化合物、または、これらの薬学的に使用可能な誘導体、溶媒和物、塩、互変異性体もしくは立体異性体、またはすべての比率でのこれらの混合物。
【手続補正４】
【補正対象書類名】特許請求の範囲
【補正対象項目名】請求項１８
【補正方法】変更
【補正の内容】
【請求項１８】
請求項１〜１６のいずれかに記載の式Ｉで表される少なくとも１種の化合物、および／または、これらの薬学的に使用可能な誘導体、塩、溶媒和物、互変異性体および／または立体異性体、またはすべての比率でのこれらの混合物、ならびに、任意に賦形剤および／または補助剤を含む、医薬。
【手続補正５】
【補正対象書類名】特許請求の範囲
【補正対象項目名】請求項１９
【補正方法】変更
【補正の内容】
【請求項１９】
請求項１〜１６のいずれかに記載の化合物、および／または、これらの薬学的に使用可能な誘導体、塩、溶媒和物、互変異性体および／または立体異性体、またはすべての比率でのこれらの混合物の、キナーゼシグナル伝達の阻害、調節および／または調整が作用を奏する疾患の処置のための医薬の製造のための使用。
【手続補正６】
【補正対象書類名】特許請求の範囲
【補正対象項目名】請求項２０
【補正方法】変更
【補正の内容】
【請求項２０】
請求項１〜１６のいずれかに記載の化合物、および／または、これらの薬学的に使用可能な誘導体、溶媒和物および／または立体異性体、またはすべての比率でのこれらの混合物の、
請求項１〜１６のいずれかに記載の化合物によるチロシンキナーゼの阻害により影響される疾患の処置のための医薬の製造のための、請求項１９に記載の使用。
【手続補正７】
【補正対象書類名】特許請求の範囲
【補正対象項目名】請求項２１
【補正方法】変更
【補正の内容】
【請求項２１】
請求項１〜１６のいずれかに記載の化合物によるＭｅｔキナーゼの阻害により影響される疾患の処置のための医薬の製造のための、請求項１９に記載の使用。
【手続補正８】
【補正対象書類名】特許請求の範囲
【補正対象項目名】請求項２３
【補正方法】変更
【補正の内容】
【請求項２３】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項２２に記載の使用。
【手続補正９】
【補正対象書類名】特許請求の範囲
【補正対象項目名】請求項２７
【補正方法】変更
【補正の内容】
【請求項２７】
腫瘍が、急性骨髄性白血病、慢性骨髄性白血病、急性リンパ性白血病および／または慢性リンパ性白血病の群に由来する、請求項２６に記載の使用。
【手続補正１０】
【補正対象書類名】特許請求の範囲
【補正対象項目名】請求項２８
【補正方法】変更
【補正の内容】
【請求項２８】
請求項１〜１６のいずれかに記載の式Ｉで表される少なくとも１種の化合物および／または、これらの薬学的に使用可能な誘導体、溶媒和物および／または立体異性体、またはすべての比率でのこれらの混合物、ならびに少なくとも１種の他の医薬活性成分を含む、医薬。
【手続補正１１】
【補正対象書類名】特許請求の範囲
【補正対象項目名】請求項２９
【補正方法】変更
【補正の内容】
【請求項２９】
（ａ）請求項１〜１６のいずれかに記載の式Ｉで表される化合物および／または、これらの薬学的に使用可能な誘導体、溶媒和物、塩および／または立体異性体、またはすべての比率でのこれらの混合物の有効量、
ならびに
（ｂ）さらなる医薬活性成分の有効量
の個別のパックからなる、セット（キット）。
【手続補正書】
【提出日】平成23年4月28日(2011.4.28)
【手続補正１】
【補正対象書類名】明細書
【補正対象項目名】００２９
【補正方法】変更
【補正の内容】
【００２９】
Ｘは、ＣＨまたはＮを示し、
Ｙは、Ｈｅｔ２、Ｎ（Ｒ２）２、ＮＲ２［Ｃ（Ｒ２）２］ｎＨｅｔ２、ＮＲ２［Ｃ（Ｒ２）２］ｎＮ（Ｒ２）２、ＮＲ２［Ｃ（Ｒ２）２］ｎＨｅｔ２Ａ、ＯＨ、ＯＲ２、Ｏ［Ｃ（Ｒ２）２］ｎＨｅｔ２、Ｏ［Ｃ（Ｒ２）２］ｎＨｅｔ２ＮＡ２、Ｃ（＝Ｏ）Ｎ（Ｒ２）２、Ｃ（＝Ｏ）ＮＡＨｅｔ２またはＣ（＝Ｏ）Ｎ（Ｈｅｔ２）２を示し、
ここで、ＮＨ基は、Ｎ−ＣＯＯＡまたはＮ−ＣＯＡにより置き換えられていてもよく、
【手続補正２】
【補正対象書類名】明細書
【補正対象項目名】０１２７
【補正方法】変更
【補正の内容】
【０１２７】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正３】
【補正対象書類名】明細書
【補正対象項目名】０１８８
【補正方法】変更
【補正の内容】
【０１８８】
以下の化合物を、対応して調製する。
【表１７】
2010528994.tif 000001
【手続補正４】
【補正対象書類名】特許請求の範囲
【補正対象項目名】請求項１５
【補正方法】変更
【補正の内容】
【請求項１５】
Ｒ１が、Ａｒ１またはＨｅｔ１を示し、
Ｒ２が、ＨまたはＡを示し、
Ｒ３が、Ａｌｋ−ＹまたはＨｅｔ３を示し、
Ａが、１〜８個のＣ原子を有する非分枝状または分枝状アルキルを示し、
ここで、１〜７個のＨ原子が、Ｆおよび／またはＣｌにより置き換えられていてもよく、
Ａｌｋが、１〜８個のＣ原子を有する非分枝状または分枝状アルキレンを示し、
ここで、１〜７個のＨ原子は、Ｆ、Ｃｌおよび／またはＢｒにより置き換えられていてもよく、
Ａｒ１が、ＮＲ２ＣＯＯＡまたはＯＣＯＮ（Ｒ２）２により単置換されているフェニルを示し、
Ｈｅｔ１が、１，３−ジヒドロベンズイミダゾリル、ベンズオキサゾリル、インダゾリル、ベンズイミダゾリル、キノリニル、ジヒドロインドリルまたはインドリルを示し、この各々は、非置換であるか、またはＡ、ＮＨ２、ＯＲ２および／または＝Ｏ（カルボニル酸素）により単置換もしくは二置換されており、
Ｈｅｔ３が、ピペリジニル、ピロリジニル、ピペラジニルまたはモルホリニルを示し、この各々が、Ａおよび／または＝Ｏ（カルボニル酸素）により単置換または二置換されていてもよく、
Ｈｅｔ２が、ピペリジニル、ピロリジニル、ピペラジニルまたはモルホリニルを示し、この各々が、Ａおよび／または＝Ｏ（カルボニル酸素）により単置換または二置換されていてもよく、
Ｒ４、Ｒ５が、各々、互いに独立して、ＨまたはＨａｌを示し、
Ｘが、ＣＨを示し、
Ｙが、Ｈｅｔ２、Ｎ（Ｒ２）２、ＮＲ２［Ｃ（Ｒ２）２］ｎＮ（Ｒ２）２またはＣ（＝Ｏ）Ｎ（Ｒ２）２を示し、ここでＮＨ基が、Ｎ−ＣＯＯＡまたはＮ−ＣＯＡにより置き換えられていてもよく、
ｎが、１、２、３または４を示す、
請求項１〜１４のいずれかに記載の化合物、または、これらの薬学的に使用可能な誘導体、溶媒和物、塩、互変異性体もしくは立体異性体、またはすべての比率でのこれらの混合物。
【手続補正５】
【補正対象書類名】特許請求の範囲
【補正対象項目名】請求項１７
【補正方法】変更
【補正の内容】
【請求項１７】
請求項１〜１６に記載の式Ｉで表される化合物、または、これらの薬学的に使用可能な誘導体、塩、溶媒和物、互変異性体もしくは立体異性体の製造方法であって、
ａ）式ＩＩ
【化２】
2010528994.tif 000002
式中、Ｒ３、Ｒ４、Ｒ５およびＸは、請求項１において示した意味を有する、
で表される化合物を、式ＩＩＩ
Ｒ１−ＣＨＬ−Ｒ２    ＩＩＩ
式中、Ｒ１およびＲ２は、請求項１において示した意味を有し、
Ｌは、Ｃｌ、Ｂｒ、Ｉまたは、遊離の、もしくは反応的に官能的に修飾されたＯＨ基を示す、
で表される化合物と反応させ、
あるいは、
ｂ）ラジカルＲ１および／またはＲ３を他のラジカルＲ１および／またはＲ３に、アミノ基または水酸基をアシル化、アルキル化またはエーテル化することにより変換し、
あるいは
ｃ）これを、加溶媒分解剤または水素化分解剤で処理することにより、この機能的誘導体の１種から遊離させ、
かつ／または
式Ｉで表される塩基または酸を、この塩の１種に変換する
ことを特徴とする、前記方法。
【手続補正６】
【補正対象書類名】特許請求の範囲
【補正対象項目名】請求項２３
【補正方法】変更
【補正の内容】
【請求項２３】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項２２に記載の使用。
【手続補正７】
【補正対象書類名】特許請求の範囲
【補正対象項目名】請求項２７
【補正方法】変更
【補正の内容】
【請求項２７】
腫瘍が、急性骨髄性白血病、慢性骨髄性白血病、急性リンパ性白血病および／または慢性リンパ性白血病の群に由来する、請求項２６に記載の使用。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
結晶欠陥を除去するのに十分なレベルに単結晶の温度を下げるステップと、周辺温度のレベルに単結晶の温度を上げるステップと、を有することを特徴とする方法。
【請求項２】
結晶欠陥を除去するのに十分なレベルに半導体単結晶の温度を下げるステップと、周辺温度のレベルに半導体単結晶の温度を上げるステップと、を有することを特徴とする方法。
【請求項３】
欠陥を除去するのに十分なレベルに単結晶基板の温度を下げるステップと、周辺温度のレベルに単結晶基板の温度を上げるステップと、を有することを特徴とする方法。
【請求項４】
欠陥を除去するのに十分なレベルに単結晶ブールの温度を下げるステップと、周辺温度のレベルに単結晶ブールの温度を上げるステップと、を有することを特徴とする方法。
【請求項５】
欠陥を除去するのに十分なレベルに単結晶エピ層の温度を下げるステップと、周辺温度のレベルに単結晶エピ層の温度を上げるステップと、を有することを特徴とする方法。
【請求項６】
単結晶ウェハから結晶欠陥を除去するのに使用する装置であって、
前記単結晶ウェハをカプセル型ウェハ保持装置内に設置し、
前記カプセル型ウェハ保持装置は、
内壁の直径が前記単結晶ウェハよりもわずかに大きなプラスティック管と、
前記プラスティック管の底部に設置された第１ディスク型強力磁石と、
前記第１磁石と直径が同じである第１および第２熱分解カーボンディスクと、を有し、
前記第１熱分解カーボンディスクは、前記管内の前記第１ディスク型強力磁石の上に設置され、
前記単結晶ウェハは、前記第１熱分解カーボンディスクと前記第２熱分解カーボンディスクとの間に挟まれ、
さらに前記管内の前記第２熱分解カーボンディスクの上に第２ディスク型強力磁石を有する、
ことを特徴とする装置。
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
メッシュ分配装置（１、１ａ）であって、
開口部（１２、１２ａ）を有するハウジングと、
前記ハウジング内に回転可能に取り付けられた供給スプール（４）であって、前記供給スプールはメッシュ及び裏打ちフィルム（１０）のスプールを含み、前記メッシュは前記メッシュの面の少なくとも一部上に塗布された接着物質を含み、前記裏打ちフィルムは前記接着物質に分離可能に接着された、供給スプールと、
前記ハウジング内に取り付けられた少なくとも１つの案内要素（６、７）であって、前記メッシュの前記接着面が前記ハウジングの前記開口部（１２、１２ａ）で与えられるように、前記少なくとも１つの案内要素が前記供給スプール（４）から前記メッシュ及び裏打ちフィルムを受容する、案内要素と、を備え、
巻取りスプール（１６）が、前記ハウジング内に回転可能に取り付けられ、前記巻取りスプールは前記分離した裏打ちフィルム（１１）を受容するために前記供給スプール（４）に回転可能に結合され、
前記メッシュ分配装置は、前記メッシュ（１０ａ）が分配される際に前記分離した裏打ちフィルム（１１）のくっつき若しくは弛みを低減する又は除去する手段をさらに備え、
前記メッシュ分配装置は、「前方」のモード又は方向に片手で操作されるように構成されており、それによって、前記メッシュの前記接着面が、前記装置の下を通過することにより分配され、提供される、
ことを特徴とする、メッシュ分配装置。
【請求項２】
前記ハウジングが、前記開口部で１対の平行な突出部（９、９ａ）を更に含む、請求項１に記載のメッシュ分配装置。
【請求項３】
前記少なくとも１つの案内要素が、１組の案内要素（６、７）のみからなり、前記１組の案内要素のそれぞれは前記開口部（１２、１２ａ）で回転可能に取り付けられ、前記１組の案内要素は前記供給スプール（４）から前記メッシュ及び裏打ちフィルムを協働して受容し、前記メッシュの前記接着面を前記ハウジングの前記開口部で与える、請求項１に記載のメッシュ分配装置。
【請求項４】
前記接着物質が感圧接着剤である、請求項１に記載のメッシュ分配装置。
【請求項５】
前記メッシュが重合開始剤を更に含む、請求項１に記載のメッシュ分配装置。
【請求項６】
前記分離した裏打ちフィルムのくっつき若しくは弛みを低減する又は除去する前記手段が、前記メッシュを変形させるのに要する力よりも小さい力で前記巻取りスプールのずれをもたらす、請求項１に記載のメッシュ分配装置。
【請求項７】
前記分離した裏打ちフィルムのくっつき若しくは弛みを低減する又は除去する前記手段が、滑りクラッチであり、該滑りクラッチはスリーブ内径を有するスリーブ（１４）と、前記スリーブ内径と前記巻取りスプール（１６）との間に配置された摩擦部材（１５）と、を含む、請求項１に記載のメッシュ分配装置。
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
複合材を成形する用具品であって、前記用具品が、
気孔体積の約９０％以上が約１０μｍ〜約１５０μｍの直径の気孔と気孔体積の約１％以上が約０．８μｍ〜約３．５μｍの直径の気孔から成る気孔分布を有する炭素フォームと、
前記炭素フォームに付着されている封止剤と、
前記封止剤に付着され、前記成形用具表面となる表皮層と、を備え、
前記封止剤が、異なる粒子寸法分布を有する、第１充填材部分と第２充填材部分を備えた２組の充填材粒子からなる充填材を備えていることを特徴とする成形用具品。
【請求項２】
前記表皮層が、金属から成ることを特徴とする請求項１記載の成形用具品。
【請求項３】
前記金属表皮層が、鉄ニッケル合金の熱又はプラズマ溶射付着層から成ることを特徴とする請求項２記載の成形用具品。
【請求項４】
前記第１充填材部分の粒子の平均直径が、前記第２充填材部分の粒子の平均直径の少なくとも２倍であることを特徴とする請求項１記載の成形用具品。
【請求項５】
前記第１充填材部分の粒子が、１２０μｍ未満の平均直径を有していることを特徴とする請求項１記載の成形用具品。
【請求項６】
前記第２充填材部分の粒子が、０．２〜１０μｍの平均直径を有していることを特徴とする請求項１記載の成形用具品。
【請求項７】
前記第１充填材部分が、前記封止剤の１２〜５０重量％を構成することを特徴とする請求項１記載の成形用具品。
【請求項８】
前記第２充填材部分が、前記封止剤の８〜３５重量％を構成することを特徴とする請求項１記載の成形用具品。
【請求項９】
前記第１充填材部分の粒子の８０％以上が、２〜５００μｍの範囲の直径を有していることを特徴とする請求項１記載の成形用具品。
【請求項１０】
前記第１充填材部分及び前記第２充填材部分の各々が、炭素質粒子を含んでいることを特徴とする請求項１記載の成形用具品。
【請求項１１】
前記第１充填材部分が、コークス、石炭、又はグラファイトの粒子から成り、前記第２充填材部分が、カーボンブラックの粒子から成ることを特徴とする請求項１０記載の成形用具品。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
式（Ｉ）：Ｍm Ｏm （ＯＲ2 ）n （Ｉ）の化合物であって、
Ｍは、Ｔｉ、ＺｒまたはＨｆであり、
それぞれが存在するときにＲ2 は、個々に、少なくとも１個のＯＨ基を含有する置換されたアルキル基、少なくとも１個のＯＨ基を含有する置換されたシクロアルキル基、少なくとも１個のＯＨ基を含有する置換されたシクロアルキルアルキル基、少なくとも１個のＯＨ基を含有する置換されたヘテロシクリル基または少なくとも１個のＯＨ基を含有するヘテロシクリルアルキルであり、
ｍは、１〜８の整数であり、
ｎは、１〜８の整数である化合物。
【請求項２】
請求項１記載の化合物において、
式（Ｉ）の化合物が、式（ＩＩ）の化合物、
2010528984.tif 000001
式（ＩＩＩ）の化合物、
2010528984.tif 000002
であり、
式（ＩＩ）もしくは（ＩＩＩ）の化合物の異性体またはこれらのいずれか２種以上の混合物であり、
ＭはＴｉまたはＺｒであり、
それぞれが存在するときにＲ3 は、独立に、Ｈ、Ｆ、Ｃｌ、Ｂｒ、Ｉ、ＣＮ、ＯＲ4 、ＮＲ5 Ｒ6 、置換されたもしくは置換されていないアルキル、置換されたもしくは置換されていないシクロアルキル、置換されたもしくは置換されていないシクロアルキルアルキル、置換されていないヘテロシクリルまたは置換されたもしくは置換されていないヘテロシクリルアルキルであり、
Ｒ4 は、Ｈ、置換されたもしくは置換されていないアルキル、置換されたもしくは置換されていないシクロアルキル、置換されたもしくは置換されていないシクロアルキルアルキル、置換されていないヘテロシクリルまたは置換されたもしくは置換されていないヘテロシクリルアルキルであり、
Ｒ5 およびＲ6 は、独立に、Ｈ、置換されたもしくは置換されていないアルキル、置換されたもしくは置換されていないシクロアルキル、置換されたもしくは置換されていないヘテロシクリルアルキルであり、またはＲ5 およびＲ6 は、それらが結合しているＮを含有する複素環式環を形成し、
ｎ’は、０、１、２、３または４である化合物。
【請求項３】
請求項２記載の化合物において、
Ｍが、Ｔｉである化合物。
【請求項４】
請求項２記載の化合物において、
それぞれが存在するときにＲ3 が、独立に、Ｈ、ＯＲ4 または置換されたもしくは置換されていないアルキル基である化合物。
【請求項５】
請求項２記載の化合物において、
前記化合物が、ビス（エチレングリコール）オキソチタン（ＩＶ）、ビス（グリセロール）オキソチタン（ＩＶ）、ビス（エリトリトール）オキソチタン（ＩＶ）またはビス（ソルビトール）オキソチタン（ＩＶ）である化合物。
【請求項６】
請求項１記載の化合物において、
少なくとも９０％の可視波長範囲透過率を有する化合物。
【請求項７】
請求項１記載の化合物において、
約４００ｎｍよりも低い波長範囲で約２０％よりも低い紫外光透過率を有する化合物。
【請求項８】
方法であって、
式ＭＯＸ2 の化合物を、少なくとも１個のヒドロキシル基を含有する試薬と反応させて、請求項１記載の化合物、ＨＸ、水および前記試薬を含有する第１の反応混合物を形成することを含み、
前記試薬は、アルコール、ポリオール、糖およびデンプンからなる群より選択され、
Ｘは、Ｆ、Ｃｌ、ＢｒまたはＩである方法。
【請求項９】
汚染された燃料を供給することと、
燃料、式（Ｉ）の化合物、有機酸および酸化剤の混合物を製造することと、
除染された燃料を回収することと、を含む方法であって、
式（Ｉ）が、Ｍm Ｏm （ＯＲ2 ）n （Ｉ）であり、
Ｍは、Ｔｉ、ＺｒまたはＨｆであり、
それぞれが存在するときにＲ2 は、個々に、少なくとも１個のＯＨ基を含有する置換されたアルキル基、少なくとも１個のＯＨ基を含有する置換されたシクロアルキル基、少なくとも１個のＯＨ基を含有する置換されたシクロアルキルアルキル基、少なくとも１個のＯＨ基を含有する置換されたヘテロシクリル基または少なくとも１個のＯＨ基を含有するヘテロシクリルアルキルであり、
ｍは、１〜８の整数であり、
ｎは、１〜８の整数である方法。
【請求項１０】
請求項９記載の方法において、
式（Ｉ）の化合物が、ビス（エチレングリコール）オキソチタン（ＩＶ）、ビス（グリセロール）オキソチタン（ＩＶ）、ビス（エリトリトール）オキソチタン（ＩＶ）またはビス（ソルビトール）オキソチタン（ＩＶ）からなる群より選択される方法。
【請求項１１】
請求項９記載の方法において、
前記汚染された燃料が、燃料および硫黄汚染物質、窒素汚染物質またはこれらの混合物から選択された１種以上の汚染物質を含有する方法。
【請求項１２】
請求項９記載の方法において、
前記酸化剤が、有機窒素酸化物、硝酸、過酸化水素、オゾン、有機過酸化物、酸素、空気、過酸、次亜塩素酸塩およびこれらのいずれか２種以上の混合物からなる群より選択される方法。
【請求項１３】
請求項９記載の方法において、
前記混合物を、約３０〜１３０℃の温度まで加熱する方法。
【請求項１４】
請求項９記載の方法において、
前記汚染された燃料が、原油、ディーゼル燃料または熱分解ガソリンである方法。
【請求項１５】
請求項９記載の方法において、
前記除染された燃料に、汚染された燃料源よりも少なくとも１０％少ない汚染物質が含有されている方法。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
空気入りタイヤモールド用の空気入りタイヤモールド部およびダイリブを有する装置において、
内輪郭面を有するモールド部であって、該モールド部の内輪郭面に開口する少なくとも１つの溝を画定するとともに、前記溝に流体連通するベンド通路の一部を画定する、モールド部と、
前記溝内に少なくとも部分的に配置されたダイリブであって、前記モールド部の前記内輪郭面の上方に配置された張出部を有し、該ダイリブの張出部が、前記ベント通路に流体連通するベント通路入口を画定する、ダイリブと、を備え、
前記ダイリブの張出部が一対の足部を画定し、前記ベント通路入口の全体が該足部の中間に配置され、各足部は前記内輪郭面と係合する、装置。
【請求項２】
前記ベント通路入口の高さは、０．０３８１ｍｍ（０．００１５インチ）である、請求項１に記載の装置。
【請求項３】
前記ダイリブは長さを有し、前記ベント通路入口は、該ダイリブの長さの８０％以下となる長さを有する、請求項１に記載の装置。
【請求項４】
前記ダイリブは、一対の張出部を有し、各張出部がベント通路入口を画定する、請求項１に記載の装置。
【請求項５】
各ダイリブの張出部は一対の足部を画定し、前記ベント通路入口は前記足部の中間に配置され、各足部は前記内輪郭面と係合する、請求項４に記載の装置。
【請求項６】
前記ダイリブは一対の張出部を有し、各張出部は複数のベント入口通路を画定する、請求項１に記載の装置。
【請求項７】
前記ダイリブの各張出部は複数の足部を有し、各ベント通路入口は２つの足部の中間に配置され、各足部は前記内輪郭面と係合する、請求項６に記載の装置。
【請求項８】
前記ダイリブは長さを有し、一方の前記張出部上のベント通路入口の総長さは、該ダイリブの長さの８０％以下である、請求項７に記載の装置。
【請求項９】
前記ベント通路入口の高さは、０．０３８１ｍｍ（０．００１５インチ）である、請求項８に記載の装置。
【請求項１０】
前記溝の断面は、雌蟻継ぎ状に形成され、前記溝内に配置されるダイリブの部分が対応する雄蟻継ぎ状の断面を有する、請求項１に記載の装置。
【請求項１１】
前記雄蟻継ぎの一部は、前記ベント通路入口とベント通路との間を流体連通する通路を画定する、請求項１０に記載の装置。
【請求項１２】
内輪郭面とモールド部の内輪郭面に開口する少なくとも一本の溝とを備える空気入りタイヤモールド部に用いられるダイリブであって、
前記溝内に配置されるよう適合する第一部分と、
成形されるタイヤの一部をダイリブで画成するよう適合する第二部分と、を備え、
前記第二部分は、前記溝の反対側に位置する前記内輪郭面の上方に配置されるよう適合する一対の張出部を有し、
前記張出部のうちの少なくとも一つは、ベント通路入口と一対の足部とを画定し、前記ベント通路入口はその全体が前記足部の中間に配置されていることを特徴とするダイリブ。
【請求項１３】
前記ダイリブは長さを有し、前記ベント通路入口は、該ダイリブの長さの８０％以下の長さを有する、請求項１２に記載の装置。
【請求項１４】
各張出部は、ベント通路入口および一対の足部を画定し、各ベント通路入口は、一対の足部の中間に配置されている、請求項１２に記載の装置。
【請求項１５】
各張出部は、複数のベント通路入口と複数の足部とを画定し、各ベント通路入口は二つの足部の中間に配置されている、請求項１４に記載の装置。
【請求項１６】
前記ダイリブは長さを有し、一方の前記張出部のベント通路入口の総長さは、該ダイリブの長さの８０％以下である、請求項１５に記載の装置。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
画像形成工程の実行中にフレキソ印刷版を切断する方法であって、
イメージングドラム上にフレキソ印刷版を載置するステップと、
前記フレキソ印刷版上に少なくとも１つのグラフィックピースを画像形成するステップと、
イメージングデバイスを使って前記グラフィックピースを切断するステップと、
前記少なくとも１つのグラフィックピースを前記イメージングデバイスドラムから取り除くステップと、
を含むことを特徴とする方法。
【請求項２】
請求項１に記載の方法であって、
前記印刷版画像形成とグラフィックピースの切断は、１つの画像形成ステップで実行されることを特徴とする方法。
【請求項３】
請求項１に記載の方法であって、
前記印刷版の画像形成は第一のステップで実行され、グラフィックピースの切断は別のステップで実行されることを特徴とする方法。
【請求項４】
請求項１に記載の方法であって、
前記グラフィックピースの切断が完全に行われることを特徴とする方法。
【請求項５】
請求項１に記載の方法であって、
前記グラフィックピースの切断が部分的に行われることを特徴とする方法。
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
アルミニウム含有基板を製造する方法であって、
陽極酸化層を有するアルミニウム支持体表面を、ビニルホスホン酸から誘導されたポリマー及びＡｌ+3塩を含む水性後処理溶液で処理する工程を含み、
前記ポリマーの濃度は、前記後処理溶液中で、１リットル当たり１．５×１０-4〜１．５モルのホスホン酸基の目標ポリマー濃度の±５０％以内の濃度に維持され、そして、Ａｌ+3の濃度は、前記後処理溶液中で、１×１０-6〜１×１０-1モル／リットルの範囲内の目標Ａｌ+3濃度の±５０％以内の濃度に維持されており、
前記処理工程が、前記支持体１ｍ2当たり少なくとも３×１０-6モルのホスホン酸基を堆積させるのに十分である、
アルミニウム含有基板を製造する方法。
【請求項２】
前記処理工程中、前記後処理溶液中で、前記ポリマーの濃度が、１リットル当たり１×１０-3〜１×１０-1モルの範囲内のホスホン酸基の目標ポリマー濃度の±１５％以内の濃度に維持される請求項１に記載の方法。
【請求項３】
前記処理工程中、前記後処理溶液中で、Ａｌ+3の濃度が、１×１０-5〜１×１０-3モル／リットルの範囲内の目標Ａｌ+3濃度の±１５％以内の濃度に維持される請求項１又は２に記載の方法。
【請求項４】
前記ポリマー濃度、Ａｌ+3濃度、又は両濃度を、維持する、増加させる又は減少させるために、１種又は２種以上の補充溶液を用いてそれぞれ所与の速度で、前記後処理溶液を補充することにより、前記後処理溶液中で、前記ポリマーの目標濃度が維持される請求項１〜３のいずれか１項に記載の方法。
【請求項５】
ポリマー及びＡｌ+3の前記濃度が、ポリマー及びＡｌ+3をそれぞれ含有する別個の補充溶液を用いて、前記後処理溶液を補充することにより維持される請求項１〜４のいずれか１項に記載の方法。
【請求項６】
前記目標アルミニウム濃度［Ａｌ+3］1及び前記目標ポリマー濃度［ポリマー］1が、前記処理工程中に測定され、そして
下記補充溶液：
ａ）  ［ポリマー］1を有するが、該後処理溶液のアルミニウムイオン濃度を前記［Ａｌ+3］1に減少させるために、濃度０又は前記［Ａｌ+3］1よりも実質的に低いアルミニウムイオン濃度もまた有する溶液、
ｂ）  ［ポリマー］1を有するが、該後処理溶液のアルミニウムイオン濃度を前記［Ａｌ+3］1に増加させるために、前記［Ａｌ+3］1よりも実質的に高いアルミニウムイオン濃度もまた有する溶液、
ｃ）  前記［Ａｌ+3］1を有するが、該後処理溶液のポリマー濃度を前記［ポリマー］1に増加させるために、前記［ポリマー］1よりも実質的に高いポリマー濃度もまた有する溶液、
の１種又は２種以上を、所定の速度で前記後処理溶液に添加することにより維持される請求項１〜５のいずれか１項に記載の方法。
【請求項７】
請求項１〜６のいずれか１項に従って製造された基板を含み、前記基板上に配置された１層又は２層以上の画像形成性層を有する画像形成性要素。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
非対称粘着を伴う制動状態において車両（１０）の一対の操舵輪（２２、２４）の転舵を制御するシステムであって、一対の操舵輪（２２、２４）の転舵角（αＡＲ）を制御することにより車両（１０）の右輪（１２）と左輪（１４）に加わる制動トルクの差を最小化する制御手段（４４）を備え、当該制御手段（４４）がダイナミックレンジ可変の制御則を適用することができることを特徴とする、システム。
【請求項２】
前記制御則によって、制動開始時に応答の速いダイナミックレンジが、制動開始時後に応答の遅いダイナミックレンジが実現することを特徴とする、請求項１に記載のシステム。
【請求項３】
前記制御則によって、制動開始時点から所定期間に亘って応答の速いダイナミックレンジが実現することを特徴とする、請求項２に記載のシステム。
【請求項４】
所定期間が１秒にほぼ等しいことを特徴とする、請求項３に記載のシステム。
【請求項５】
制御手段（４４）が、転舵角に対応する中間制御信号（ＵαＡＲ、１ＮＦ）を決定する手段（５８）と、中間制御信号の低域通過型フィルタリング手段（６８）とを含み、フィルタリング手段（６８）は少なくとも１つの可変時定数を有することを特徴とする、請求項１ないし４のいずれか一項に記載のシステム。
【請求項６】
制動開始時に、少なくとも１つの時定数が、ブレーキ装置のブレーキ圧応答時間より実質的に短いことを特徴とする、請求項５に記載のシステム。
【請求項７】
車両（１０）には一対の操舵前輪（１２、１４）及び一対の操舵後輪（２２、２４）が装着されること、並びに、制御手段（４４）が、後輪の転舵角（αＡＲ）を制御することにより前輪に加わる制動トルクの差を最小化できることを特徴とする、請求項１ないし６のいずれか一項に記載のシステム。
【請求項８】
左輪及び右輪（１２、１４）に加わるブレーキ圧（ＰＡＶＧ、ＰＡＶＤ）を測定する手段（４０、４２）を備えること、並びに、制御手段（４４）が、測定されたブレーキ圧の差に応じて操舵輪の転舵角（αＡＲ）を制御できることを特徴とする、請求項１ないし７のいずれか一項に記載のシステム。
【請求項９】
制御手段（４４）が、関係式
2010528936.tif 000001
に従って操舵輪の転舵角（αＡＲ）を制御することができ、
上の式では、Ｆは、ダイナミックレンジ可変の低域通過型フィルタであり、ＰＡＶＧ、ＰＡＶＤは前輪ブレーキ圧であり、Ｄ１は、車両の前輪のタイヤの横滑り剛性であり、Ｄ２は、車両の後輪のタイヤの横滑り剛性であり、Ｌは車両のホイールベースであり、ｅは車両の輪距であり、Ｋは所定の定数であり、ｇは観測される非対称粘着の種類に基づくゲインであることを特徴とする、請求項８に記載のシステム。
【請求項１０】
更に、車両のヨートルクに対する外部外乱を推定する手段（７０）と、推定される外乱
2010528936.tif 000002
に応じて操舵輪の転舵角（αＡＲ）を制御することにより外乱を除去する手段（７４）とを備えることを特徴とする、請求項１ないし９のいずれか一項に記載のシステム。
【請求項１１】
推定手段（７０）が、車両のヨー速度に対する加算外乱の状態の観測器を実現することができることを特徴とする、請求項１０に記載のシステム。
【請求項１２】
非対称粘着を伴う制動状態において車両（１０）の一対の操舵輪（２２、２４）の転舵を制御する方法であって、一対の操舵輪の転舵角（αＡＲ）を制御することにより、車両の右輪（１２）及び左輪（１４）に加わる制動トルクの差を最小化する制御ステップを含み、当該制御ステップにおいて、ダイナミックレンジ可変制御則を適用することを特徴とする方法。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
第一段階で患者にＶＸ−９５０と共にインターフェロンおよびリバビリンを投与し、第二段階でインターフェロンおよびリバビリンを投与することを含み、第二段階が第一段階後である治療レジメンを用いて、ウイルス感染を処置または予防するための医薬組成物。
【請求項２】
ＶＸ−９５０を８−１２週間投与する、請求項１記載の医薬組成物。
【請求項３】
ＶＸ−９５０を１２週間投与する、請求項１記載の医薬組成物。
【請求項４】
ＶＸ−９５０を８週間投与する、請求項１記載の医薬組成物。
【請求項５】
インターフェロンがペグ化されている、請求項１ないし４のいずれか一項記載の医薬組成物。
【請求項６】
ペグ化インターフェロンが、インターフェロン−α ２ａまたはインターフェロン−α ２ｂである、請求項５記載の医薬組成物。
【請求項７】
ＶＸ−９５０を１００mgないし１５００mg投与する、請求項１ないし４のいずれか一項記載の医薬組成物。
【請求項８】
ＶＸ−９５０を３００mgないし１２５０mg投与する、請求項７記載の医薬組成物。
【請求項９】
ＶＸ−９５０を７５０mg投与する、請求項８記載の医薬組成物。
【請求項１０】
ＶＸ−９５０を１日２回投与する、請求項１ないし４のいずれか一項記載の医薬組成物。
【請求項１１】
ＶＸ−９５０を１２時間毎に投与する、請求項１０記載の医薬組成物。
【請求項１２】
ＶＸ−９５０を１日３回投与する、請求項１ないし４のいずれか一項記載の医薬組成物。
【請求項１３】
ＶＸ−９５０を８時間毎に投与する、請求項１２記載の医薬組成物。
【請求項１４】
ＶＸ−９５０を１００mgないし１５００mg投与することを含み、当該ＶＸ−９５０を１２週間以内の間投与する治療レジメンにおける使用のための、医薬組成物。
【請求項１５】
ＶＸ−９５０を８−１２週間投与する、請求項１４記載の医薬組成物。
【請求項１６】
ＶＸ−９５０を１２週間投与する、請求項１４記載の医薬組成物。
【請求項１７】
ＶＸ−９５０を１２週間未満の間投与する、請求項１４記載の医薬組成物。
【請求項１８】
ＶＸ−９５０を１０週間投与する、請求項１４記載の医薬組成物。
【請求項１９】
インターフェロンを投与することをさらに含む治療レジメンにおける使用のための、請求項１４記載の医薬組成物。
【請求項２０】
インターフェロンが、ペグ化インターフェロン−α ２ａまたはペグ化インターフェロン−α ２ｂである、請求項１９記載の医薬組成物。
【請求項２１】
ＶＸ−９５０を３００mgないし１２５０mg投与する、請求項１４ないし２０のいずれか一項記載の医薬組成物。
【請求項２２】
ＶＸ−９５０を４５０mg投与する、請求項２１記載の医薬組成物。
【請求項２３】
ＶＸ−９５０を７５０mg投与する、請求項２１記載の医薬組成物。
【請求項２４】
ＶＸ−９５０を１日２回投与する、請求項１４ないし２０のいずれか一項記載の医薬組成物。
【請求項２５】
ＶＸ−９５０を１日３回投与する、請求項１４ないし２０のいずれか一項記載の医薬組成物。
【請求項２６】
ＶＸ−９５０を８時間毎に投与する、請求項２５記載の医薬組成物。
【請求項２７】
リバビリンを投与することをさらに含む治療レジメンにおける使用のための、請求項１９記載の医薬組成物。
【請求項２８】
患者に、免疫調節剤、抗ウイルス剤、ＨＣＶ ＮＳ３／４Ａプロテアーゼの別の阻害剤、ＮＳ３／４Ａプロテアーゼ以外のＨＣＶ生活環における標的の阻害剤、内部リボソーム侵入の阻害剤、広域ウイルス阻害剤、別のシトクロムＰ−４５０阻害剤、ウイルスの細胞侵入の阻害剤またはそれらの組み合わせを投与することをさらに含む治療レジメンにおける使用のための、請求項１または１４記載の医薬組成物。
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
２−｛２−［（（２Ｒ，５Ｒ）−５−｛［（５−フルオロピリジン−２−イル）オキシ］メチル｝−２−メチルピペリジン−１−イル）カルボニル］−４−メチルフェニル｝ピリミジンである化合物、又はその薬学的に許容される塩。
【請求項２】
２−｛２−［（（２Ｒ，５Ｒ）−５−｛［（５−フルオロピリジン−２−イル）オキシ］メチル｝−２−メチルピペリジン−１−イル）カルボニル］−４−メチルフェニル｝ピリミジンである、請求項１記載の化合物。
【請求項３】
薬学的に許容される塩の形態の、２−｛２−［（（２Ｒ，５Ｒ）−５−｛［（５−フルオロピリジン−２−イル）オキシ］メチル｝−２−メチルピペリジン−１−イル）カルボニル］−４−メチルフェニル｝ピリミジンである、請求項１記載の化合物。
【請求項４】
不活性担体及び請求項１ないし３のいずれか１項に記載の化合物を含有してなる医薬組成物。
【請求項５】
睡眠障害の治療又は予防のための医薬組成物であって、不活性担体及び請求項１ないし３のいずれか１項に記載の化合物を含んでなる、該医薬組成物。
【請求項６】
不眠症の治療又は予防のための医薬組成物であって、不活性担体及び請求項１ないし３のいずれか１項に記載の化合物を含んでなる、該医薬組成物。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
炎症及び／又はミトコンドリア機能不全を主要な寄与因子とする血管、心臓、及び腎臓の疾患の画像化のための医薬組成物を製造するための、式１
【化１】
2010528073.tif 000001
［式中、
X1及びX2は、互いから独立して、水素原子又はハロゲン原子であり、
R1及びR2は、互いから独立して、水素原子、1〜10個の炭素を有するアルキル基、1〜10個の炭素有するハロゲンで置換されたアルキル基又は放射性同位体であり、
R3は、1〜5個の炭素を有するハロゲンで置換されたアルキル基、又はその放射性同位体である]
で表される化合物の使用。
【請求項２】
炎症及び／又はミトコンドリア機能不全を主要な発生因子とする血管、心臓、及び腎臓の疾患の画像化が、動脈瘤、狭心症、不整脈、アテローム性動脈硬化、心筋症、先天性心疾患、鬱血性心不全、心筋炎、弁疾患、冠動脈疾患、拡張型心筋症、拡張機能障害、心内膜炎、アテローム、動脈硬化、心筋炎、炎症性心筋症等の心臓の炎症性疾患、腎不全、腎硬化から選択される疾患である、請求項１に記載の使用。
【請求項３】
放射性同位体が11C、18F、又は123Iである、請求項１又は２に記載の使用。
【請求項４】
放射性同位体が18Fである、請求項１〜３のいずれか1項に記載の使用。
【請求項５】
式１で表される化合物が、N-(2-[18F]フルオロメチル-5-メトキシベンジル-N-(5-フルオロ-2-フェノキシフェニル)アセトアミド、又はN-(2-(2-[18F]フルオロ)エチル-5-メトキシベンジル]-N-(5-フルオロ-2-フェノキシフェニル)アセトアミドである、請求項１〜４のいずれか1項に記載の使用。
【請求項６】
末梢性炎症性疾患を画像化するための医薬組成物を製造するための、式１
【化２】
2010528073.tif 000002
［式中、
X1及びX2は、互いから独立して、水素原子又はハロゲン原子であり、
R1及びR2は、互いから独立して、水素原子、1〜10個の炭素を有するアルキル基、1〜10個の炭素有するハロゲンで置換されたアルキル基又は放射性同位体であり、
R3は、1〜5個の炭素を有するハロゲンで置換されたアルキル基、又はその放射性同位体である]
で表される化合物の使用。
【請求項７】
自己免疫性疾患を画像化するための医薬組成物を製造するための、式１
【化３】
2010528073.tif 000003
［式中、
X1及びX2は、互いから独立して、水素原子又はハロゲン原子であり、
R1及びR2は、互いから独立して、水素原子、1〜10個の炭素を有するアルキル基、1〜10個の炭素有するハロゲンで置換されたアルキル基又は放射性同位体であり、
R3は、1〜5個の炭素を有するハロゲンで置換されたアルキル基、又はその放射性同位体である]
で表される化合物の使用。
【請求項８】
前記自己免疫性疾患が、多発性硬化症、関節リウマチ、又は筋萎縮性側索硬化症(ALS)から選択される、請求項７に記載の使用。